(57)【要約】【課題】  簡単な構造で前後方向への複数段階の入力操作を検出できる入力操作装置を提供する。【解決手段】  前後方向に変位自在で中央に付勢されている入力操作部材１０３の下面に前後方向に連続的に複数の凹部１０７が形成されており、この凹部１０７に第１／第２センサ端子１１２，１２２が下方から弾発的に係合している。第１／第２センサ端子１１２，１２２は前後方向に所定距離だけ変位した位置に配置されており、各センサ端子１１２，１２２の上下方向への変位を第１／第２センサ本体１１１，１２１が検出する。各センサ端子１１２，１２２の変位の相互関係から入力操作部材１０３の変位方向が判定され、判定された変位方向に対応して各センサ端子１１２，１２２の少なくとも一方の変位回数が積算される。判定された変位方向と積算された変位回数が変位結果としてデータ出力されるので、入力操作部材１０３の前後方向への複数段階の入力操作が検出される。【選択図】  図１
2005327539.tif 000002
【特許請求の範囲】
【請求項１】
前後方向への複数段階の入力操作を受け付ける入力操作装置であって、
下面に複数の凹部が前後方向に連続的に形成されていて入力操作される入力操作部材と、
この入力操作部材を前後方向に変位自在に支持している部材支持機構と、
前後方向に変位自在に支持されている前記入力操作部材を中央に付勢している部材付勢機構と、
上下方向に変位自在に支持されていて前記入力操作部材の下面の複数の前記凹部に下方から弾発的に係合する第１センサ端子と、
上下方向に変位自在に支持されていて前記入力操作部材の下面の複数の前記凹部に下方から弾発的に係合する第２センサ端子と、
前記第１センサ端子の上下方向への変位を検出する第１センサ本体と、
前記第２センサ端子の上下方向への変位を検出する第２センサ本体と、
前記第１センサ端子と前記第２センサ端子とを前後方向に所定距離だけ変位した位置に配置している端子配置機構と、
前記第１センサ端子と前記第２センサ端子との変位の相互関係から前記入力操作部材の変位方向を判定する方向判定手段と、
判定された前記変位方向に対応して前記第１センサ端子と前記第２センサ端子との少なくとも一方の変位回数を積算する回数積算手段と、
判定された前記変位方向と積算された前記変位回数とを変位結果としてデータ出力する結果出力手段と、
を有している入力操作装置。
【請求項２】
前記端子配置機構は、前後方向で中央の初期位置に配置されている前記入力操作部材の中央の１つの前記凹部の前部と後部との一方に前記第１センサ端子を配置しているとともに他方に前記第２センサ端子を配置しており、
前記方向判定手段は、前後方向の中央に位置している前記入力操作部材の凹部に前記第１センサ端子と前記第２センサ端子との両方が係合している初期状態から一方が下方に変位すると前記変位方向を判定する請求項１に記載の入力操作装置。
【請求項３】
請求項１または２に記載の入力操作装置と、
連続する複数の画像データからなる少なくとも１つのシリーズデータを記憶している画像記憶手段と、
記憶されている前記シリーズデータの少なくとも１つの前記画像データを表示する画像表示手段と、
前記結果出力手段がデータ出力する前記変位方向と前記変位回数とに対応して段階的な可変速度で前記画像データを前後方向に切り換える画像切換手段と、
を有している画像表示装置。
【請求項４】
請求項２に記載の入力操作装置と、
連続する複数の画像データからなる少なくとも１つのシリーズデータを記憶している画像記憶手段と、
記憶されている前記シリーズデータの少なくとも１つの前記画像データを表示する画像表示手段と、
前記結果出力手段がデータ出力する前記変位方向と前記変位回数とに対応して表示されている前記画像データを前後方向に切り換える画像切換手段と、を有しており、
前記画像切換手段は、前記入力操作部材の中央の前記凹部から前後方向に第１番目に位置する前記凹部に前記第１センサ端子と前記第２センサ端子とが係合するごとに前記画像データを前後方向に一枚ずつ切り換え、中央の前記凹部から前後方向に第ｍ(ｍは“２”以上の自然数)番目に位置する前記凹部に前記第１センサ端子と前記第２センサ端子とが係合すると前記画像データを第ｍ段階の可変速度で前後方向に一枚ずつ切り換える画像表示装置。
【発明の詳細な説明】
【技術分野】
【０００１】
本発明は、入力操作部材が入力操作される入力操作装置に関し、特に、画像表示装置の表示画像の切換操作に利用される入力操作装置に関する。
【背景技術】
【０００２】
現在、人体から連続する複数の断層画像の画像データを撮像する画像撮像装置として、いわゆるＣＴ(Computed Tomography)スキャナやＭＲＩ(Magnetic Resonance Imaging)装置などが医療現場で使用されており、その画像データを表示する画像表示装置も各種が開発されている。
【０００３】
このような画像表示装置は、例えば、パーソナルコンピュータに専用のアプリケーションソフトをインストールすることで実現され、シリーズデータとして記憶した連続する複数の画像データを順番にディスプレイに表示することができる。しかし、一般的なパーソナルコンピュータでは、アルファベットなどの入力キーが配列されたキーボードやマウスで入力操作を実行することになるので、その汎用性は良好であるが操作性は良好でない。
【０００４】
そこで、本出願人が提案した画像表示装置は専用の入力操作装置を具備しており、その入力操作装置は前後方向にスライド自在な入力操作部材を具備している。その画像表示装置では、入力操作部材を前後方向にスライド操作すると、これに対応してディスプレイに表示される画像データが順次切り換わるので、連続する複数の断層画像の画像データを容易に閲覧することができる。
【０００５】
特に、上記の画像表示装置では、入力操作部材が初期位置から微少にスライド移動されると画像データが低速に切換表示され、大幅にスライド移動されると高速に切換表示されるので、画像データの切換速度を自在に直感的に調節することができる。
【０００６】
しかし、上述のように入力操作部材を前後方向にスライド操作させる構造では、手動操作が解除された入力操作部材を自動的に初期位置に復帰させることが困難である。このため、表示される複数の画像データを順次切り換えているとき、所望の画像データが表示された瞬間に画像切換を停止させることが困難である。
【０００７】
このような課題を解決できる入力操作装置としては、いわゆるシーソースイッチを使用した製品がある。このような入力操作装置では、前後方向に細長い入力操作部材が略中央で前後方向に揺動自在に軸支されており、その入力操作部材がスプリングなどの弾発部材の弾発力により初期位置に付勢されている。
【０００８】
このような入力操作装置を前述の画像表示装置に適用した場合、入力操作部材を前後方向に入力操作することで画像データを前後方向に切換表示することができる。そして、手動操作が解除された入力操作部材は自動的に初期位置に復帰するので、切換表示している画像データを所望の位置で瞬時に停止させることが可能である。
【０００９】
しかし、このようなシーソースイッチは前後方向への入力操作の有無を個々に検出する機能しかできないので、画像表示装置の画像データの切換表示を速度調節することはできない。このため、シーソースイッチを利用した入力操作装置で画像データの切換表示を速度調節するためには、シーソースイッチとは別個に切換速度の調節専用のボリュームスイッチなどを並設する必要がある。
【００１０】
この場合、装置の占有面積が大型化することになり、利用者は一度に二個の入力操作部材を手動操作する必要があるので好ましくない。現在、上述のような入力操作装置として各種の提案がある(例えば、特許文献１，２参照)。
【特許文献１】特開２００３−０８４９１０号
【特許文献２】特開２００３−１３２７６６号
【発明の開示】
【発明が解決しようとする課題】
【００１１】
例えば、上述した特許文献１の入力操作装置では、前後方向への傾倒を検知する既存のスイッチング素子を利用することで、前後方向への入力操作を検知する。さらに、そのスイッチング素子を左右方向に回動自在に軸支することで、速度可変のアナログ入力なども可能としている。
【００１２】
この入力操作装置を画像表示装置に利用した場合、例えば、入力操作部材を前後方向に傾倒させることで表示画像が一枚ずつ前後切換され、その状態で入力操作部材を左右方向に回動させることで表示画像が可変速度で連続切換されることになる。しかし、これでは一枚切換と連続切換との入力操作が相違するので、直感的な入力操作が困難である。
【００１３】
また、前述した特許文献２の入力操作装置では、押圧を検知するスイッチング素子を、前後方向に傾倒自在な入力操作部材の前後に複数ずつ配置することで、入力操作部材の前後方向への入力操作を複数段階に検知する。この入力操作装置を画像表示装置に利用した場合、例えば、入力操作部材を前後方向に傾倒させて第１のスイッチング素子をオン状態とすることで表示画像が一枚ずつ前後切換され、さらに入力操作部材を傾倒させて第２のスイッチング素子もオン状態とすることで表示画像が連続切換される。しかし、この入力操作装置では、上述のように前後方向への２段階の入力操作を検知するために、最低でも４個のスイッチング素子が必要である。
【００１４】
本発明は上述のような課題に鑑みてなされたものであり、簡単な構造で前後方向への複数段階の入力操作を検出できる入力操作装置、この入力操作装置を利用した画像表示装置、を提供することを目的とする。
【課題を解決するための手段】
【００１５】
本発明の入力操作装置は、入力操作部材、部材支持機構、部材付勢機構、第１センサ端子、第２センサ端子、第１センサ本体、第２センサ本体、端子配置機構、方向判定手段、回数積算手段、結果出力手段、を有しており、入力操作部材は、下面に複数の凹部が前後方向に連続的に形成されている。部材支持機構は、入力操作部材を前後方向に変位自在に支持しており、部材付勢機構は、前後方向に変位自在に支持されている入力操作部材を中央に付勢している。第１センサ端子は、上下方向に変位自在に支持されていて入力操作部材の下面の複数の凹部に下方から弾発的に係合し、第２センサ端子は、上下方向に変位自在に支持されていて入力操作部材の下面の複数の凹部に下方から弾発的に係合する。第１センサ本体は、第１センサ端子の上下方向への変位を検出し、第２センサ本体は、第２センサ端子の上下方向への変位を検出する。端子配置機構は、第１センサ端子と第２センサ端子とを前後方向に所定距離だけ変位した位置に配置しており、方向判定手段は、第１センサ端子と第２センサ端子との変位の相互関係から入力操作部材の変位方向を判定する。回数積算手段は、判定された変位方向に対応して第１センサ端子と第２センサ端子との少なくとも一方の変位回数を積算し、結果出力手段は、判定された変位方向と積算された変位回数とを変位結果としてデータ出力する。従って、本発明の入力操作装置では、入力操作部材が前後方向に複数段階に入力操作されると、その入力操作に対応した変位方向と変位回数とが変位結果としてデータ出力される。
【００１６】
本発明の第１の画像表示装置は、本発明の入力操作装置、画像記憶手段、画像表示手段、を有しており、画像記憶手段は、連続する複数の画像データからなる少なくとも１つのシリーズデータを記憶している。画像表示手段は、記憶されているシリーズデータの少なくとも１つの画像データを表示し、画像切換手段は、結果出力手段がデータ出力する変位方向と変位回数とに対応して段階的な可変速度で画像データを前後方向に切り換える。従って、本発明の画像表示装置では、入力操作装置の入力操作部材の前後方向への段階的な入力操作により、対応する可変速度で画像データが前後方向に切り換えられる。
【００１７】
本発明の第２の画像表示装置では、画像切換手段は、入力操作部材の中央の凹部から前後方向に第１番目に位置する凹部に第１センサ端子と第２センサ端子とが係合するごとに画像データを前後方向に一枚ずつ切り換え、中央の凹部から前後方向に第ｍ番目に位置する凹部に第１センサ端子と第２センサ端子とが係合すると画像データを第ｍ段階の可変速度で前後方向に一枚ずつ切り換える。
【００１８】
従って、本発明の画像表示装置では、入力操作装置の入力操作部材が前後方向へ所定範囲まで入力操作されることで画像データが前後方向に一枚ずつ切り換えられ、入力操作部材が前後方向へ所定範囲より段階的に入力操作されることで対応する可変速度で画像データが前後方向に切り換えられる。
【００１９】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置に実現された所定の機能、これらの組み合わせ、等として実現することができる。
【００２０】
また、本発明で云う各種の構成要素は、個々に独立した存在である必要もなく、複数の構成要素が１個の部材として形成されていること、ある構成要素が他の構成要素の一部であること、ある構成要素の一部と他の構成要素の一部とが重複していること、等も可能である。
【００２１】
さらに、本発明では前後方向および上下方向を規定しているが、これは発明の構成要素の相対関係を簡単に説明するために便宜的に規定したものであり、本発明を実施する場合の製造時や使用時の方向を限定するものではない。
【発明の効果】
【００２２】
本発明の入力操作装置では、入力操作部材の複数の凹部に弾発的に係合する第１センサ端子と第２センサ端子との変位の相互関係から変位方向を判定し、判定された変位方向に対応して第１センサ端子と第２センサ端子との少なくとも一方の変位回数を積算し、判定された変位方向と積算された変位回数とを変位結果としてデータ出力することにより、入力操作部材が前後方向に複数段階に入力操作されると、その入力操作に対応した変位方向と変位回数とが変位結果としてデータ出力することができる。
【００２３】
本発明の第１の画像表示装置では、入力操作装置の入力操作部材の前後方向への段階的な入力操作により、対応する可変速度で画像データを前後方向に切り換えることができ、この速度可変の表示切換を構造が簡単な入力操作装置で実現することができる。
【００２４】
本発明の第２の画像表示装置では、入力操作装置の入力操作部材を前後方向へ所定範囲まで入力操作することで画像データを前後方向に一枚ずつ切り換えることができ、入力操作部材を前後方向へ所定範囲より段階的に入力操作することで対応する可変速度で画像データを前後方向に切り換えることができ、これらの表示切換を構造が簡単な入力操作装置で実現することができる。
【発明を実施するための最良の形態】
【００２５】
［実施の形態の構成］
本発明の実施の一形態を図面を参照して以下に説明する。本実施の形態の入力操作装置１００は、図１に示すように、１個のユニット部品として形成されており、図３に示すように、画像表示装置３００のコントロールユニット２００の本体ハウジング２０１に内蔵されている。本形態の入力操作装置１００は、平板状のベース部材１０１を有しており、このベース部材１０１の上方に、部材支持機構１０２により入力操作部材１０３が前後方向に変位自在に支持されている。
【００２６】
より詳細には、部材支持機構１０２は、長手方向が上下に位置する状態で前後に平行に配置された一対のリンク部材１０４からなり、これらのリンク部材１０４の下端がベース部材１０１に回動自在に軸支されているとともに上端が入力操作部材１０３に回動自在に軸支されている。さらに、部材支持機構１０２は、例えば、リンク部材１０４の下端にコイルスプリングなどが部材付勢機構(図示せず)として内蔵されており、この部材付勢機構により、前後方向に変位自在に支持されている入力操作部材１０３が中央に付勢されている。
【００２７】
入力操作部材１０３は、樹脂などの絶縁体で平板状に形成されており、その上面中央から上方にジョイスティック１０６が一体に形成されているとともに、下面中央に複数の凹部１０７が前後方向に連続的に形成されている。ベース部材１０１は、中央上面に第１／第２センサ素子１１０，１２０が配置されており、これら第１／第２センサ素子１１０，１２０が入力操作部材１０３の凹部１０７に下方から係合している。
【００２８】
より詳細には、第１／第２センサ素子１１０，１２０は、第１／第２センサ本体１１１，１２１を各々有しており、これら第１／第２センサ本体１１１，１２１の上部に第１／第２センサ端子１１２，１２２が装着されている。これら第１／第２センサ端子１１２，１２２は第１／第２センサ本体１１１，１２１に上下方向に変位自在に支持されており、上方に弾発的に付勢されている。
【００２９】
ベース部材１０１は、中央に端子配置機構となる支柱部分１０８が立設されており、この支柱部分１０８の上端に第１／第２センサ素子１１０，１２０が左右に配列されて装着されている。ただし、第１センサ本体１１１と第２センサ本体１２１とは、前後方向に所定距離だけ変位した位置に配置されているので、入力操作部材１０３が前後方向で中央の初期位置に配置されている状態で、図２に示すように、第１センサ端子１１２は、中央の１つの凹部１０７の前部に配置されており、第２センサ端子１２２は、後部に配置されている。
【００３０】
このように第１／第２センサ素子１１０，１２０のセンサ端子１１２，１２２は入力操作部材１０３の凹部１０７に下方から係合しているので、入力操作部材１０３が前後方向に変位されると第１／第２センサ端子１１２，１２２が係合する凹部１０７が前後に遷移する。
【００３１】
このため、本形態の入力操作装置１００では、ジョイスティック１０６が前後方向に変位されるとき、いわゆる“クリック感”とともにジョイスティック１０６が前後方向に複数段階に変位する。このようにジョイスティック１０６が前後方向に変位されて複数の凹部１０７を第１／第２センサ端子１１２，１２２が遷移するとき、これらの第１／第２センサ端子１１２，１２２は上下方向に変位することになり、この変位が第１／第２センサ本体１１１，１２１で各々検知される。
【００３２】
なお、本形態の入力操作装置１００では、一対のリンク部材１０４からなる部材支持機構１０２により入力操作部材１０３が前後方向に変位自在に支持されているので、その変位軌跡は円弧状に湾曲している。このため、図１(ｂ)に示すように、入力操作部材１０３が前後方向に変位すると下方にも変位することになるが、第１／第２センサ素子１１０，１２０のセンサ端子１１２，１２２は上下方向に変位自在に支持されていて上方に付勢されているので、上下方向にも変位する入力操作部材１０３の凹部１０７に問題なく係合することができる。
【００３３】
本形態のコントロールユニット２００は、図３に示すように、本体ハウジング２０１の上面中央に前後方向に細長い貫通孔２０２が形成されており、この貫通孔２０２に入力操作装置１００のジョイスティック１０６が下方から露出している。なお、コントロールユニット２００には、入力操作装置１００の入力操作部材１０３の他にも各種の操作キー２０５が実装されており、これらの操作キー２０５が入力操作装置１００の第１／第２センサ素子１１０，１２０とともに回路基板(図示せず)に結線されている。
【００３４】
この回路基板には、方向判定手段である方向判定回路、回数積算手段である回数積算回路、結果出力手段である結果出力回路、等が論理回路として実装されており(図示せず)、方向判定回路が第１／第２センサ素子１１０，１２０に接続されているとともに、回数積算回路が第１センサ素子１１０に接続されている。
【００３５】
方向判定回路は、第１センサ端子１１２と第２センサ端子１２２との変位の相互関係から入力操作部材１０３の変位方向を判定し、回数積算回路は、判定された変位方向に対応して第１センサ端子１１２の変位回数を積算する。より詳細には、第１／第２センサ素子１１０，１２０は、例えば、第１／第２センサ端子１１２，１２２が凹部１０７に位置しているときに“０”をデータ出力し、凹部１０７と凹部１０７との間隙に位置するときに“１”をデータ出力する。
【００３６】
図２に示すように、初期状態では第１／第２センサ端子１１２，１２２の両方が凹部１０７に位置しているので、第１／第２センサ素子１１０，１２０の出力データは“０，０”となる。このような初期状態から入力操作部材１０３が前方に微少に変位して第２センサ端子１２２のみが凹部１０７と凹部１０７との間隙に位置すると、第１／第２センサ素子１１０，１２０の出力データは“０，１”となる。反対に、初期状態から入力操作部材１０３が後方に微少に変位して第１センサ端子１１２のみが凹部１０７と凹部１０７との間隙に位置すると、第１／第２センサ素子１１０，１２０の出力データは“１，０”となる。
【００３７】
このため、方向判定回路では、第１／第２センサ素子１１０，１２０の出力データが初期状態の“０，０”から“０，１”に変化すると入力操作部材１０３が前方に変位したことが判定され、“１，０”に変化すると入力操作部材１０３が後方に変位したことが判定される。
【００３８】
なお、入力操作部材１０３が前方に微少に変位して第１／第２センサ素子１１０，１２０の出力データは“０，１”となった状態から、入力操作部材１０３が初期位置に復帰すると第１／第２センサ素子１１０，１２０の出力データは“０，０”となるが、さらに入力操作部材１０３が前方に変位して第１／第２センサ端子１１２，１２２の両方が凹部１０７と凹部１０７との間隙に位置すると出力データは“１，１”となるので、その変化パターンから入力操作部材１０３の変位方向が判定される。
【００３９】
同様に、さらに入力操作部材１０３が前方に変位すると、第１／第２センサ素子１１０，１２０の出力データは“１，１”→“１，０”→“０，０”→“０，１”…のように順次変化するので、このような変化パターンにより入力操作部材１０３の変位方向が判定される。
【００４０】
そして、回数積算回路は、上述のように入力操作部材１０３の変位方向が一方に判定されているときは第１センサ端子１１２の変位回数を積算し、変位方向の逆転が判定されたときは第１センサ端子１１２の変位回数を積算結果から減算するので、結果出力回路は、判定された変位方向と積算された変位回数とを変位結果としてデータ出力する。
【００４１】
本形態のコントロールユニット２００は、図４および図５に示すように、画像表示装置３００の一部として形成されており、ディスプレイユニット２１１とともに本体ユニット２１２に接続されている。本形態の画像表示装置３００は、図６および図７に示すように、断層検査システム４００の一部として形成されており、ＣＴスキャナ４０１にオンライン接続されている。
【００４２】
本形態の画像表示装置３００は、コンピュータの主体となるハードウェアとしてＣＰＵ(Central Processing Unit)３０１を具備しており、このＣＰＵ３０１には、バスライン３０２により、ＲＯＭ(Read Only Memory)３０３、ＲＡＭ(Random Access Memory)３０４、ＨＤＤ３０５(Hard Disc Drive)３０５、ＦＤ(Flexible Disc-cartridge)３０６が交換自在に装填されるＦＤＤ(FD Drive)３０７、ＣＤ(Compact Disc)−ＲＯＭ３０８が交換自在に装填されるＣＤドライブ３０９、コントロールユニット２００、ディスプレイユニット２１１、Ｉ／Ｆ(Interface)ユニット３１１、等のハードウェアが接続されている。
【００４３】
また、ＣＴスキャナ４０１は、画像撮像手段である画像撮像機構４１１と画像供給手段である通信ユニット４１２とを具備しており、画像撮像機構４１１が人体(図示せず)から連続する複数の断層画像の画像データを撮像する。一人の人体から連続に撮像された複数の画像データはシリーズデータとして蓄積され、通信ユニット４１２が画像表示装置３００にデータ送信する。
【００４４】
本形態の画像表示装置３００では、ＲＯＭ３０３、ＲＡＭ３０４、ＨＤＤ３０５、交換自在なＦＤ３０６、交換自在なＣＤ−ＲＯＭ３０８、等のハードウェアが情報記憶媒体に相当し、これらの少なくとも一個にＣＰＵ３０１のためのコンピュータプログラムやリソースがソフトウェアとして格納されている。このようなソフトウェアは画像表示装置３００に事前にインストールされており、画像表示装置３００の起動時にＣＰＵ３０１にデータ読取される。
【００４５】
このようにＣＰＵ３０１が適正なコンピュータプログラムをデータ読取して各種処理を実行することにより、本形態の画像表示装置３００は、図７に示すように、画像取得手段３２１、画像記憶手段３２２、画像表示手段３２３、画像切換手段３２４、等の各種手段を各種機能として論理的に具備している。
【００４６】
画像取得手段３２１は、ＲＡＭ３０４に格納されているコンピュータプログラムに対応してＣＰＵ３０１がＩ／Ｆユニット３１１の受信データを認識する機能などに相当し、ＣＴスキャナ４１０からシリーズデータを取得する。画像記憶手段３２２は、上述のコンピュータプログラムに対応してＣＰＵ３０１が認識するようにＨＤＤ３０５に構築された記憶エリアなどに相当し、画像取得手段３２１で取得されたシリーズデータを記憶する。
【００４７】
画像表示手段３２３は、ＣＰＵ３０１がＨＤＤ３０５の記憶データをディスプレイユニット２１１に表示させる機能などに相当し、画像記憶手段３２２に記憶されているシリーズデータから少なくとも１つの画像データを表示する。この表示形態は各種に操作できるが、本形態の画像表示装置３００では、コントロールユニット２００の操作キー２０５で所定操作を実行することにより、図８および図９に示すように、関連する一対のシリーズデータの画像データを左右方向に並列表示することも可能である。
【００４８】
画像切換手段３２４は、ＣＰＵ３０１がコントロールユニット２００の操作信号を認識して所定のデータ処理を実行する機能などに相当し、画像表示手段３２３で表示される画像データをコントロールユニット２００の入力操作部材１０３への入力操作に対応して切り換える。
【００４９】
より具体的には、本形態の画像表示装置３００では、入力操作装置１００のジョイスティック１０６が前方に所定範囲まで変位されて第１センサ端子１１２が初期位置の中央の凹部１０７から後方の第１番目の凹部１０７に移動すると、これに対応した変位方向と変位回数との出力データに対応して、表示されているシリーズデータの画像データが前方に一枚だけ切り換えられる。
【００５０】
同様に、ジョイスティック１０６が後方に所定範囲まで変位されて第１センサ端子１１２が初期位置の中央の凹部１０７から前方の第１番目の凹部１０７に移動すると、表示されている画像データが後方に一枚ずつ切り換えられる。さらに、ジョイスティック１０６が前後方向に所定範囲まで変位されて第１センサ端子１１２が中央の凹部１０７から前後の第ｍ番目の凹部１０７に移動すると、表示されている画像データが対応する第ｍ段階の可変速度で前後方向に切り換えられる。
【００５１】
また、本形態の画像表示装置３００では、ディスプレイユニット２１１に１つのシリーズデータの１つの画像データを表示する基本動作の他、図８および図９に示すように、応用動作として複数の画像データを左右方向に並列表示することもできる。そして、このような表示状態で入力操作装置１００の操作キー２０５で所定操作などが実行されると、左右方向に並列表示されている複数の画像データから入力操作装置１００による前後切換の処理対象となる１つが切換設定される。
【００５２】
上述のような画像表示装置３００の各種手段は、必要によりＨＤＤ３０５やＩ／Ｆユニット３１１等のハードウェアを利用して実現されるが、その主体はＲＡＭ３０４等の情報記憶媒体に格納されたコンピュータプログラムに対応してハードウェアであるＣＰＵ３０１が機能することにより実現されている。
【００５３】
このようなコンピュータプログラムは、例えば、Ｉ／Ｆユニット３１１でＣＴスキャナ４１０からシリーズデータを受信する処理、この受信されたシリーズデータをＨＤＤ３０５に記憶させる処理、この記憶されているシリーズデータの画像データをディスプレイユニット２１１に表示させる処理、この表示させる画像データをコントロールユニット２００の第１／第２センサ素子１１０，１２０の出力信号に対応して前後切換する処理、等の処理動作をＣＰＵ３０１等に実行させるためのソフトウェアとしてＲＡＭ３０４等の情報記憶媒体に格納されている。
【００５４】
［実施の形態の動作］
上述のような構成において、本形態の断層検査システム４００での断層検査方法を以下に順番に説明する。まず、ＣＴスキャナ４１０により患者(図示せず)の人体から連続する複数の断層画像の画像データが撮像され、その複数の画像データがシリーズデータとして画像表示装置３００に登録される。
【００５５】
このようにシリーズデータが画像表示装置３００に登録されると、作業者(図示せず)がコントロールユニット２００に所定操作を実行することにより、シリーズデータの画像データがディスプレイユニット２１１に表示される。このように画像データが表示された状態でコントロールユニット２００のジョイスティック１０６が入力操作されると、その入力操作に対応して表示されている画像データが操作される。
【００５６】
より具体的には、本形態の画像表示装置３００では、１つのシリーズデータの画像データがディスプレイユニット２１１に表示された状態で、入力操作装置１００のジョイスティック１０６が前方に所定範囲だけ変位されて第１センサ端子１１２が初期位置の中央の凹部１０７から後方の第１番目の凹部１０７に移動すると、第１／第２センサ素子１１０，１２０の出力データは“０，０”→“０，１”→“１，１”→“１，０”→“０，０”と変化する。
【００５７】
そこで、この変化パターンから変位方向が前方であると判定され、第１センサ素子１１０の変位回数が“１”であると積算される。これらの変位方向と変位回数はコントロールユニット２００からＣＰＵ３０１にデータ出力されるので、この出力データに対応して表示されているシリーズデータの画像データが前方に一枚だけ切り換えられる。同様に、ジョイスティック１０６が後方に所定範囲まで変位されて第１センサ端子１１２が初期位置の中央の凹部１０７から前方の第１番目の凹部１０７に移動すると、表示されている画像データが後方に一枚ずつ切り換えられる。
【００５８】
上述のように第１／第２センサ端子１１２，１２２が初期位置の中央の凹部１０７から前後方向の第１番目の凹部１０７に移動すると、１回だけクリック感がジョイスティック１０６に発生する。換言すると、本形態の画像表示装置３００では、１回だけクリック感が発生するようにジョイスティック１０６を前後方向に入力操作すると、シリーズデータの画像データが前後方向に一枚だけ切り換えられる。
【００５９】
さらに、ジョイスティック１０６が前後方向に所定範囲まで変位されて第１センサ端子１１２が中央の凹部１０７から前後の第ｍ番目の凹部１０７に移動すると、表示されている画像データが対応する第ｍ段階の可変速度で前後方向に切り換えられる。このため、本形態の画像表示装置３００では、複数のクリック感が発生するようにジョイスティック１０６を前後方向に所望範囲まで入力操作すると、その入力操作に対応した可変速度で画像データが前後方向に連続切換される。
【００６０】
このため、本形態の画像表示装置３００では、ジョイスティック１０６が前後に微少に入力操作されるごとに、表示されている画像データが前後に一枚ずつ切り換えられ、ジョイスティック１０６が前後に大幅に入力操作されると、その入力操作に対応した速度で表示されている画像データが前後に連続切換される。
【００６１】
また、本形態の画像表示装置３００では、上述のようにディスプレイユニット２１１に１つのシリーズデータの画像データを１つずつ表示することの他、図８および図９に示すように、複数のシリーズデータの画像データを左右方向に並列表示することもできる。例えば、一人の患者から造影剤を使用したシリーズデータと使用しないシリーズデータとが撮像されて登録されている場合、その一対のシリーズデータの画像データを左右方向に並列表示することが可能である。
【００６２】
そして、本形態の画像表示装置３００では、上述のような表示状態で入力操作装置１００の操作キー２０５で所定操作などが実行されると、左右方向に並列表示されている複数の画像データから入力操作装置１００による前後切換の処理対象となる１つが切換設定される。
【００６３】
［実施の形態の効果］
本形態の画像表示装置３００では、上述のように入力操作装置１００のジョイスティック１０６を入力操作することで、表示しているシリーズデータの画像データを各種に操作することができる。特に、ジョイスティック１０６を前後方向に複数段階に入力操作できるので、シリーズデータの画像データを前後方向に一枚ずつ切り換えることができるとともに低速および高速で連続切換することもでき、これらの切換操作を直感的に実行することができる。
【００６４】
［実施の形態の変形例］
なお、本発明は上記形態に限定されるものではなく、その要旨を逸脱しない範囲で各種の変形を許容する。例えば、上記形態では入力操作部材１０３を一対のリンク部材１０４からなる部材支持機構１０２により前後方向に円弧状に変位自在に支持することを例示したが、ガイドレールなどからなる部材支持機構(図示せず)により完全に直線状に前後方向に変位自在に支持することも可能である。この場合、入力操作部材１０３が前後方向に変位しても上下方向には変位しないので、第１／第２センサ素子１１０，１２０のセンサ端子１１２，１２２のストロークを最少とすることができる。
【００６５】
また、上記形態では円弧状に変位する入力操作部材１０３の下面に複数の凹部１０７が平坦に形成されており、その上下方向への変位がセンサ端子１１２，１２２により吸収されることを例示したが、例えば、円弧状の変位軌跡に対応して入力操作部材の下面に複数の凹部を円弧状に配列させて形成しておくことも可能である(図示せず)。この場合、入力操作部材が前後方向に変位しても第１／第２センサ素子１１０，１２０のセンサ端子１１２，１２２が係合する凹部は上下方向には変位しないので、やはり、そのストロークを最少とすることができる。
【００６６】
さらに、上記形態では第１／第２センサ素子１１０，１２０のセンサ端子１１２，１２２が入力操作部材１０３の中央の凹部１０７から前後の第１番目の凹部１０７に移動すると画像データが前後方向に１枚切換され、前後の第ｍ番目の凹部１０７まで移動すると画像データが第ｍ段階の可変速度で前後方向に連続切換されることを例示した。
【００６７】
しかし、センサ端子１１２，１２２が中央の凹部１０７から前後の第１番目の凹部１０７に移動すると画像データが前後方向に第１段階の可変速度で連続切換されることや、前後の第ｍ番目の凹部１０７まで移動すると画像データがｍ枚だけ切り換えられるようなことも可能である。
【００６８】
さらに、上記形態では複数のシリーズデータの画像データを並列表示することを例示したが、例えば、１つのシリーズデータの前後位置が相違する複数の画像データを並列表示するようなことも可能であり、１つの画像データを相違する画像処理で複数に表示するようなことも可能である。
【００６９】
また、上記形態では適正なサイズを想定することにより入力操作装置１００の入力操作部材１０３を指先で手動操作することを例示したが、例えば、入力操作部材１０３を大型化して足裏で入力操作するようなことも可能である。さらに、上記形態では画像表示装置３００がディスプレイユニット２１１で一対の画像データを左右方向に並列表示することを例示したが、当然ながら画像データを１つだけ表示することも可能であり、二つ以上の画像データを表示することも可能である。
【００７０】
また、上記形態では画像表示装置３００がディスプレイユニット２１１で表示した画像データをコントロールユニット２００の一個の入力操作装置１００で切換操作することを例示したが、例えば、コントロールユニット２００に複数の入力操作装置１００を並設して並列に表示された複数の画像データを個々に切換操作するようなことも可能である。さらに、上記形態では画像表示装置１００で表示する画像データのシリーズデータがＣＴスキャナ４１０で撮像されることを例示したが、これがＭＲＩ装置(図示せず)で撮像されることも可能である。
【００７１】
また、上記形態ではＲＡＭ３０４等に格納されているコンピュータプログラムに対応してＣＰＵ３０１が動作することにより、画像表示装置３００の各種機能として各種手段が論理的に実現されることを例示した。しかし、このような各種手段の各々を固有のハードウェアとして形成することも可能であり、一部をソフトウェアとしてＲＡＭ３０４等に格納するとともに一部をハードウェアとして形成することも可能である。
【図面の簡単な説明】
【００７２】
【図１】本発明の実施の一形態の入力操作装置の内部構造を示す縦断側面図である。
【図２】複数の凹部と第１／第２センサ端子との関係を示す模式的な底面図である。
【図３】コントロールユニットの外観を示す平面図である。
【図４】画像表示装置の外観を示す斜視図である。
【図５】画像表示装置の回路構造を示すブロック図である。
【図６】断層検査システムの外観を示す斜視図である。
【図７】断層検査システムの論理構造を示す模式図である。
【図８】ディスプレイユニットに画像データが表示された状態を示す正面図である。
【図９】シリーズデータのデータ構造を示す模式図である。
【符号の説明】
【００７３】
１００    入力操作装置
１０２    部材支持機構
１０３    入力操作部材
１０７    凹部
１１１    第１センサ本体
１１２    第１センサ端子
１２１    第２センサ本体
１２２    第２センサ端子
３００    画像表示装置
３２１    画像取得手段
３２２    画像記憶手段
３２３    画像表示手段
３２４    画像切換手段
【図１】
2005327539.tif 000003
【図２】
2005327539.tif 000004
【図３】
2005327539.tif 000005
【図４】
2005327539.tif 000006
【図５】
2005327539.tif 000007
【図６】
2005327539.tif 000008
【図７】
2005327539.tif 000009
【図８】
2005327539.tif 000010
【図９】
2005327539.tif 000011